(57)【要約】【課題】机上の消しゴム屑や衣服に付着した埃等の手近なゴミを取るのに適した小型で簡素な軽量構造を備える粘着式清掃具を提供する。【解決手段】粘着テープロールＲを被清掃面上で転がすことにより、被清掃面上のゴミ等を粘着テープロールＲの粘着面Ｔａに接着捕捉する粘着式清掃具１であって、片手による手持ち操作可能なケース２内に、粘着テープロールＲが回転可能にかつ取外し交換可能に装着されるとともに、ケース２の底部に、粘着テープロールＲの外周粘着面Ｔａの一部が外部に露出するゴミ捕捉開口５が形成されてなり、ケース２は、片手に位置決め保持可能な外周輪郭形状寸法を有する。
2017188178.tif 000002
【特許請求の範囲】
【請求項１】
粘着性ロールを被清掃面上で転がすことにより、被清掃面上のゴミ等を粘着性ロールの粘着面に接着捕捉する粘着式清掃具であって、
片手による手持ち操作可能なケース内に、粘着性ロールが回転可能にかつ取外し可能に装着されるとともに、前記ケースの底部に、前記粘着性ロールの粘着面の一部が外部に露出するゴミ捕捉開口が形成されてなり、
前記ケースは、片手に位置決め保持可能な外周輪郭形状寸法を有する
ことを特徴とする粘着式清掃具。
【請求項２】
粘着テープロールを被清掃面上で転がすことにより、被清掃面上のゴミ等を粘着テープロールの粘着面に接着捕捉する粘着式清掃具であって、
片手による手持ち操作可能なケース内に、粘着テープロールが回転可能にかつ取外し交換可能に装着されるとともに、前記ケースの底部に、前記粘着テープロールの粘着面の一部が外部に露出するゴミ捕捉開口が形成されてなり、
前記ケースは、片手に位置決め保持可能な外周輪郭形状寸法を有する
ことを特徴とする粘着式清掃具。
【請求項３】
前記ケースは、前記粘着テープロールが装着されるとともに、底面開口が前記捕捉開口を形成するケース本体と、前記捕捉開口を開閉可能に施蓋するケース蓋体とからなる
ことを特徴とする請求項２に記載の粘着式清掃具。
【請求項４】
前記ケース本体は、把持姿勢における掌の把持湾曲面に対応したプロフィールを有する凸湾曲面状の外周把持面を有する
ことを特徴とする請求項３に記載の粘着式清掃具。
【請求項５】
前記ケース本体は、その内部に前記粘着テープロールを回転可能にかつ取外し交換可能に支持するテープ支持部が設けられ、
このテープ支持部は、前記粘着テープロールの円筒ロール芯を挿通支持する支持軸と、この支持軸を取外し可能にかつ回転可能に支持する支持フレームとを備えてなり、
前記テープ支持部に、前記粘着テープロールが挿通支持された状態において、この粘着テープロールの外周粘着部の一部が前記捕捉開口を介して外部に臨んで位置するように設定されている
ことを特徴とする請求項４に記載の粘着式清掃具。
【請求項６】
前記支持フレームは、前記支持軸の両端部をそれぞれ回転可能に支持する支持穴を有する一対の支持ブラケットを備え、
これら支持ブラケットは、前記支持穴に対する前記支持軸の着脱を可能とする弾性変形構造を備えるとともに、その内側面に前記支持軸の着脱動作を案内する案内溝が前記支持穴に延びて設けられている
ことを特徴とする請求項５に記載の粘着式清掃具。
【請求項７】
前記支持フレームは前記ケース本体に固定的に一体形成されている
ことを特徴とする請求項５に記載の粘着式清掃具。
【請求項８】
前記支持フレームは前記ケース本体に揺動可能に支持されてなり、
清掃操作時において、前記粘着テープロールが前記ケース本体に対して揺動または回動可能に転動する
ことを特徴とする請求項５に記載の粘着式清掃具。
【請求項９】
前記支持軸は、前記円筒ロール芯の円筒内周面の一部を当接支持する複数の径方向に延びる支持プレートを備えてなる軽量化構造とされている
ことを特徴とする請求項５に記載の粘着式清掃具。
【請求項１０】
前記支持軸における前記円筒ロール芯の挿入先端側端部に、円筒ロール芯の軸方向位置を規定する係止フランジが設けられ、
前記複数の支持プレートの外端縁に接する円筒輪郭の径寸法が前記円筒ロール芯の円筒内周面の径寸法に対応して設定されるとともに、前記係止フランジの外径が前記円筒ロール芯の円筒内周面の径寸法よりも大きく設定されている
ことを特徴とする請求項９に記載の粘着式清掃具。
【請求項１１】
前記ケース蓋体は、平坦な底部を有する皿状容器の形態とされるとともに、前記ケース本体の捕捉開口の周縁部に嵌脱可能に嵌合する施蓋構造を備えてなり、
施蓋時において、前記ケース本体から露出する前記粘着テープロールの粘着面を非接触状態で被覆保護するとともに、任意の平坦な場所に載置されて、ケース本体の置台として機能する
ことを特徴とする請求項３に記載の粘着式清掃具。
【請求項１２】
前記粘着テープロールは、円筒ロール芯に、粘着面を有する粘着テープがその粘着面を表側にして多重に巻回されてなり、
前記粘着テープは、基材テープの一方の面に離形処理層が形成されるとともに、他方の面に前記粘着面を形成する粘着剤層が形成されてなる
ことを特徴とする請求項２〜１１のいずれか一つに記載の粘着式清掃具。
【請求項１３】
前記粘着剤層は、その粘着面が弱粘着性を呈する構成とされている
ことを特徴とする請求項１２に記載の粘着式清掃具。
【請求項１４】
前記粘着剤層は、その粘着面が強粘着性を呈する構成とされている
ことを特徴とする請求項１２に記載の粘着式清掃具。
【請求項１５】
粘着ロールを被清掃面上で転がすことにより、被清掃面上のゴミ等を粘着ロールの粘着面に接着捕捉する粘着式清掃具であって、
片手による手持ち操作可能なケース内に、粘着ロールが回転可能にかつ取外し可能に装着されるとともに、前記ケースの底部に、前記粘着ロールの粘着面の一部が外部に露出するゴミ捕捉開口が形成されてなり、
前記ケースは、片手に位置決め保持可能な外周輪郭形状寸法を有する
ことを特徴とする粘着式清掃具。
【請求項１６】
前記ケースは、前記粘着ロールが装着されるとともに、底面開口が前記捕捉開口を形成するケース本体と、前記捕捉開口を開閉可能に施蓋するケース蓋体とからなる
ことを特徴とする請求項１５に記載の粘着式清掃具。
【請求項１７】
前記ケース本体は、把持姿勢における掌の把持湾曲面に対応したプロフィールを有する凸湾曲面状の外周把持面を有する
ことを特徴とする請求項１６に記載の粘着式清掃具。
【請求項１８】
前記ケース本体は、その内部に前記粘着ロールを回転可能にかつ取外し可能に支持するロール支持部が設けられ、
このロール支持部は、前記粘着ロールを支持する支持軸部と、この支持軸部を取外し可能にかつ回転可能に支持する支持フレームとを備えてなり、
前記ロール支持部に、前記粘着ロールが支持された状態において、この粘着ロールの外周粘着部の一部が前記捕捉開口を介して外部に臨んで位置するように設定されている
ことを特徴とする請求項１７に記載の粘着式清掃具。
【請求項１９】
前記支持フレームは、前記支持軸部の両端部をそれぞれ回転可能に支持する支持穴を有する一対の支持ブラケットを備え、
これら支持ブラケットは、前記支持穴に対する前記支持軸部の着脱を可能とする弾性変形構造を備えるとともに、その内側面に前記支持軸部の着脱動作を案内する案内溝が前記支持穴に延びて設けられている
ことを特徴とする請求項１８に記載の粘着式清掃具。
【請求項２０】
前記支持フレームは前記ケース本体に固定的に一体形成されている
ことを特徴とする請求項５に記載の粘着式清掃具。
【請求項２１】
前記支持フレームは前記ケース本体に揺動可能に支持されてなり、
清掃操作時において、前記粘着ロールが前記ケース本体に対して揺動または回動可能に転動する
ことを特徴とする請求項１８に記載の粘着式清掃具。
【請求項２２】
前記支持軸部は、前記支持フレームに取外し可能にかつ回転可能に支持される支持軸と、前記粘着ロールの円筒内周面を嵌合支持する支持円筒と、これら支持軸および支持円筒を連結する複数の径方向に延びる支持プレートとを備えてなる軽量化構造とされている
ことを特徴とする請求項１８に記載の粘着式清掃具。
【請求項２３】
前記ケース蓋体は、平坦な底部を有する皿状容器の形態とされるとともに、前記ケース本体の捕捉開口の周縁部に嵌脱可能に嵌合する施蓋構造を備えてなり、
施蓋時において、前記ケース本体から露出する前記粘着ロールの粘着面を非接触状態で被覆保護するとともに、任意の平坦な場所に載置されて、ケース本体の置台として機能する
ことを特徴とする請求項１６に記載の粘着式清掃具。
【請求項２４】
前記粘着ロールは、被清掃面上のゴミ等を接着捕捉する粘着力を有する構成材料からなる円筒体の形態とされている
ことを特徴とする請求項１５〜２３のいずれか一つに記載の粘着式清掃具。
【請求項２５】
前記粘着ロールは、その粘着面が弱粘着性を呈する構成とされている
ことを特徴とする請求項２４に記載の粘着式清掃具。
【請求項２６】
前記粘着ロールは、その粘着面が強粘着性を呈する構成とされている
ことを特徴とする請求項２４に記載の粘着式清掃具。
【請求項２７】
請求項２〜１１に記載の粘着式清掃具に交換使用される粘着テープロールであって、
円筒ロール芯に、粘着面を有する粘着テープがその粘着面を表側にして多重に巻回されてなり、
前記粘着テープは、基材テープの一方の面に離形処理層が形成されるとともに、他方の面に前記粘着面を形成する粘着剤層が形成されてなる
ことを特徴とする粘着テープロール。
【請求項２８】
前記粘着剤層は、その粘着面が弱粘着性を呈する構成とされている
ことを特徴とする請求項２７に記載の粘着テープロール。
【請求項２９】
前記粘着剤層は、その粘着面が強粘着性を呈する構成とされている
ことを特徴とする請求項２７に記載の粘着テープロール。
【発明の詳細な説明】
【技術分野】
【０００１】
本発明は粘着式清掃具に関し、さらに詳細には、特に、机上の消しゴム屑や衣服に付着した埃等の手近なゴミを取るのに適した粘着式清掃具の構造に関する。
【背景技術】
【０００２】
粘着テープロールを使用する粘着式清掃具は、電気掃除機での吸引除去が比較的困難なカーペットなどに付着した毛髪等のゴミや、電気掃除機の使用までを要しない床の上に落ちた食べかす等のゴミを取るのに適した手軽で簡易な清掃具として、一般家庭に広く普及している。【０００３】
この種の粘着式清掃具は、一般に、粘着面を有する粘着テープが巻回されてなる粘着テープロールと、この粘着テープロールを回転可能に支持するテープ支持部と、一端が上記テープ支持部に連結され、他端に手によって把持されるグリップ部を有する支持シャフトとを備えてなる清掃具本体と、内部に上記粘着テープロールが収納されるテープ収納部を有し、不使用時に上記粘着面を保護する保管用カバーとを備えてなる（例えば、特許文献１および特許文献２を参照）【０００４】
そして、使用に際しては、手で清掃具本体の支持シャフトのグリップを把持して、被清掃面上で粘着テープロールを転がすことで、ゴミを粘着テープロールの粘着面で接着捕捉する構成とされている。
【先行技術文献】
【特許文献】
【０００５】
【特許文献１】２００３−２６５４０１号公報
【特許文献２】２００４−７３５６２号公報
【発明の概要】
【発明が解決しようとする課題】
【０００６】
しかしながら、これら従来の粘着式清掃具は、清掃具本体が手で把持するためのグリップ部を有する支持シャフトを備えてなるなど比較的大型で、カーペットや床の上など広い場所の清掃には便利である反面、机上の消しゴム屑等のテーブルや机の上などのゴミを取る場合や衣服に付着した埃等を取る場合など、手近の狭い場所の清掃には上記支持シャフト等がかえって邪魔になってしまい不便であった。【０００７】
また、上記のとおり比較的大型で嵩張るため、小さいバックなどに入れて持ち運ぶことは不可能であり、携帯には不向きな構造であった。【０００８】
本発明はかかる従来の問題点に鑑みてなされたものであって、その目的とするところは、机上の消しゴム屑や衣服に付着した埃等の手近なゴミを取るのに適した小型で簡素な軽量構造を備える粘着式清掃具を提供することにある。【０００９】
また、本発明の他の目的とするところは、このような小型軽量の粘着式清掃具のリフィル商品として有効な粘着テープロールを提供することにある。
【課題を解決するための手段】
【００１０】
この目的を達成するため、本発明の第１の粘着式清掃具は、粘着性ロールを被清掃面上で転がすことにより、被清掃面上のゴミ等を粘着性ロールの粘着面に接着捕捉する粘着式清掃具であって、片手による手持ち操作可能なケース内に、粘着性ロールが回転可能にかつ取外し可能に装着されるとともに、上記ケースの底部に、上記粘着性ロールの粘着面の一部が外部に露出するゴミ捕捉開口が形成されてなり、上記ケースは、片手に位置決め保持可能な外周輪郭形状寸法を有することを特徴とする。【００１１】
本発明の第２の粘着式清掃具は、粘着テープロールを被清掃面上で転がすことにより、被清掃面上のゴミ等を粘着テープロールの粘着面に接着捕捉する粘着式清掃具であって、片手による手持ち操作可能なケース内に、粘着テープロールが回転可能にかつ取外し交換可能に装着されるとともに、上記ケースの底部に、上記粘着テープロールの粘着面の一部が外部に露出するゴミ捕捉開口が形成されてなり、上記ケースは、片手に位置決め保持可能な外周輪郭形状寸法を有することを特徴とする。【００１２】
好適な実施態様として、以下の構成が採用される。
（１）上記ケースは、上記粘着テープロールが装着されるとともに、底面開口が上記捕捉開口を形成するケース本体と、上記捕捉開口を開閉可能に施蓋するケース蓋体とからなる。【００１３】
（２）上記ケース本体は、把持姿勢における手の平の把持湾曲面に対応したプロフィールを有する凸湾曲面状の外周把持面を有する。【００１４】
（３）上記ケース本体は、その内部に上記粘着テープロールを回転可能にかつ取外し交換可能に支持するテープ支持部が設けられ、このテープ支持部は、上記粘着テープロールの円筒ロール芯を挿通支持する支持軸と、この支持軸を取外し可能にかつ回転可能に支持する支持フレームとを備えてなり、上記テープ支持部に、上記粘着テープロールが挿通支持された状態において、この粘着テープロールの外周粘着部の一部が上記捕捉開口を介して外部に臨んで位置するように設定されている。【００１５】
（４）上記支持フレームは、上記支持軸の両端部をそれぞれ回転可能に支持する支持穴を有する一対の支持ブラケットを備え、これら支持ブラケットは、上記支持穴に対する上記支持軸の着脱を可能とする弾性変形構造を備えるとともに、その内側面に上記支持軸の着脱動作を案内する案内溝が上記支持穴に延びて設けられている。【００１６】
（５）上記支持フレームは上記ケース本体に固定的に一体形成されている。【００１７】
（６）上記支持フレームは上記ケース本体に揺動可能に支持されてなり、清掃操作時において、上記粘着テープロールが上記ケース本体に対して揺動または回動可能に転動する。【００１８】
（７）上記支持軸は、上記円筒ロール芯の円筒内周面の一部を当接支持する複数の径方向に延びる支持プレートを備えてなる軽量化構造とされている。【００１９】
（８）上記支持軸における上記円筒ロール芯の挿入先端側端部に、円筒ロール芯の軸方向位置を規定する係止フランジが設けられ、上記複数の支持プレートの外端縁に接する円筒輪郭の径寸法が上記円筒ロール芯の円筒内周面の径寸法に対応して設定されるとともに、上記係止フランジの外径が上記円筒ロール芯の円筒内周面の径寸法よりも大きく設定されている。【００２０】
（９）上記ケース蓋体は、平坦な底部を有する皿状容器の形態とされるとともに、上記ケース本体の捕捉開口の周縁部に嵌脱可能に嵌合する施蓋構造を備えてなり、施蓋時において、上記ケース本体から露出する上記粘着テープロールの粘着面を非接触状態で被覆保護するとともに、任意の平坦な場所に載置されて、ケース本体の置台として機能する。【００２１】
（１０）上記粘着テープロールは、円筒ロール芯に、粘着面を有する粘着テープがその粘着面を表側にして多重に巻回されてなり、上記粘着テープは、基材テープの一方の面に離形処理層が形成されるとともに、他方の面に上記粘着面を形成する粘着剤層が形成されてなる。【００２２】
（１１）上記粘着剤層は、その粘着面が弱粘着性を呈する構成とされている。【００２３】
（１２）上記粘着剤層は、その粘着面が強粘着性を呈する構成とされている。【００２４】
本発明の第３の粘着式清掃具は、粘着ロールを被清掃面上で転がすことにより、被清掃面上のゴミ等を粘着ロールの粘着面に接着捕捉する粘着式清掃具であって、片手による手持ち操作可能なケース内に、粘着ロールが回転可能にかつ取外し可能に装着されるとともに、上記ケースの底部に、上記粘着ロールの粘着面の一部が外部に露出するゴミ捕捉開口が形成されてなり、上記ケースは、片手に位置決め保持可能な外周輪郭形状寸法を有することを特徴とする。【００２５】
好適な実施態様として、以下の構成が採用される。
（１）上記ケースは、上記粘着ロールが装着されるとともに、底面開口が上記捕捉開口を形成するケース本体と、上記捕捉開口を開閉可能に施蓋するケース蓋体とからなる。【００２６】
（２）上記ケース本体は、把持姿勢における掌の把持湾曲面に対応したプロフィールを有する凸湾曲面状の外周把持面を有する。【００２７】
（３）上記ケース本体は、その内部に上記粘着ロールを回転可能にかつ取外し可能に支持するロール支持部が設けられ、このロール支持部は、上記粘着ロールを支持する支持軸部と、この支持軸部を取外し可能にかつ回転可能に支持する支持フレームとを備えてなり、上記ロール支持部に、上記粘着ロールが支持された状態において、この粘着ロールの外周粘着部の一部が上記捕捉開口を介して外部に臨んで位置するように設定されている。【００２８】
（４）上記支持フレームは、上記支持軸部の両端部をそれぞれ回転可能に支持する支持穴を有する一対の支持ブラケットを備え、これら支持ブラケットは、上記支持穴に対する上記支持軸部の着脱を可能とする弾性変形構造を備えるとともに、その内側面に上記支持軸部の着脱動作を案内する案内溝が上記支持穴に延びて設けられている。【００２９】
（５）上記支持フレームは上記ケース本体に固定的に一体形成されている。【００３０】
（６）上記支持フレームは上記ケース本体に揺動可能に支持されてなり、清掃操作時において、上記粘着ロールが上記ケース本体に対して揺動または回動可能に転動する。【００３１】
（７）上記支持軸部は、上記支持フレームに取外し可能にかつ回転可能に支持される支持軸と、上記粘着ロールの円筒内周面を嵌合支持する支持円筒と、これら支持軸および支持円筒を連結する複数の径方向に延びる支持プレートとを備えてなる軽量化構造とされている。【００３２】
（８）上記ケース蓋体は、平坦な底部を有する皿状容器の形態とされるとともに、上記ケース本体の捕捉開口の周縁部に嵌脱可能に嵌合する施蓋構造を備えてなり、施蓋時において、上記ケース本体から露出する上記粘着ロールの粘着面を非接触状態で被覆保護するとともに、任意の平坦な場所に載置されて、ケース本体の置台として機能する。【００３３】
（９）上記粘着ロールは、被清掃面上のゴミ等を接着捕捉する粘着力を有する構成材料からなる円筒体の形態とされている。【００３４】
（１０）上記粘着ロールは、その粘着面が弱粘着性を呈する構成とされている。【００３５】
（１１）上記粘着ロールは、その粘着面が強粘着性を呈する構成とされている。【００３６】
本発明の粘着テープロールは、上記第２の粘着式清掃具に交換使用されるものであって、円筒ロール芯に、粘着面を有する粘着テープがその粘着面を表側にして多重に巻回されてなり、上記粘着テープは、基材テープの一方の面に離形処理層が形成されるとともに、他方の面に上記粘着面を形成する粘着剤層が形成されてなることを特徴とする。【００３７】
好適な実施態様として、以下の構成が採用される。
（１）上記粘着剤層は、その粘着面が弱粘着性を呈する構成とされている。【００３８】
（２）上記粘着剤層は、その粘着面が強粘着性を呈する構成とされている。
【発明の効果】
【００３９】
本発明の粘着式清掃具によれば、粘着性ロール（具体的には、粘着テープロールまたは粘着ロール）を被清掃面上で転がすことにより、被清掃面上のゴミ等を粘着性ロールの粘着面に接着捕捉する粘着式清掃具であって、片手による手持ち操作可能なケース内に、粘着性ロールが回転可能にかつ取外し交換可能に装着されるとともに、上記ケースの底部に、上記粘着性ロールの粘着面の一部が外部に露出するゴミ捕捉開口が形成されてなり、上記ケースは、片手に位置決め保持可能な外周輪郭形状寸法を有するから、以下に列挙するような特有の効果が発揮されて、手近なゴミを取るのに適した小型で簡素な軽量構造を備える粘着式清掃具を提供することができる。【００４０】
（１）清掃具の構成部品が片手による手持ち操作可能なケース内に収められることにより、非常に小型で簡素な軽量構造を実現でき、手持ち操作に際しても、粘着性ロールを直接手に持って操作する感覚での使用が可能で、例えば、椅子に腰かけた姿勢での机上の消しゴム屑の除去や、衣服に付着した埃等の除去など、手近の狭い場所の清掃に最適である。【００４１】
（２）上記ケースが片手に位置決め保持可能な外周輪郭形状寸法を有するから、手持ち操作に際して、ケースを片手に確実に位置決め保持することができ、清掃作業時の直接手に持っての操作感覚がより確実で、あたかも手を直接被清掃面に触れるような拭き掃除感覚での微妙な操作が可能である。【００４２】
（３）また、上記のとおり、清掃具の構成部品が片手による手持ち操作可能なケース内にすべて収められてしまっているから、小さいバックなどに入れたり、衣服のポケットに入れることも可能で、携帯に便利な構造である。【００４３】
（４）上記ケース内に、粘着性ロールが回転可能にかつ取外し交換可能に装着されるとともに、上記ケースの底部に、上記粘着性ロールの粘着面の一部が外部に露出するゴミ捕捉開口が形成されてなるから、粘着性ロールの粘着面は、使用時においても必要最小限の範囲のみが外部に露出することになり、対象となる被清掃面に接触する部分以外の粘着面が無用にケース外部に接触するおそれはない。【００４４】
したがって、操作ミス等により、粘着性ロールの粘着面が不用意に被清掃面以外のところ触れて、清掃力が低下することが有効に防止される。また、粘着性ロールが粘着テープロールの場合には、粘着テープの浪費も少ない。【００４５】
（５）上記ケースは、上記粘着性ロールが装着されるとともに、底面開口が上記捕捉開口を形成するケース本体と、上記捕捉開口を開閉可能に施蓋するケース蓋体とからなるから、不使用時に粘着性ロールの粘着面が完全にケース内に被覆保護される。【００４６】
したがって、バックや衣服のポケットなどに入れて携帯する場合でも、粘着性ロールの粘着面が不用意に外部のものに触れることはなく、上記（４）の使用時の効果と相まって、粘着性ロールが粘着テープロールの場合には、粘着テープロールの浪費が非常に少なく、経済的である。【００４７】
（６）片手による手持ち操作可能なケース内に粘着性ロールが取外し可能に装着されていることにより、粘着面が異なる特性（例えば、弱粘着性と強粘着性、さらにはこれら両者の間の特性）を呈する複数種類の粘着性ロールを予め準備しておき、これらの粘着性ロールの中から、任意の特性の粘着面を有する粘着性ロールを選択的に使用することにより、各種用途に最適な粘着式清掃具を構成することができ、汎用性に富む。
【図面の簡単な説明】
【００４８】
【図１】本発明の実施形態１である粘着式清掃具の外観構成を示す全体斜視図である。
【図２】同粘着式清掃具のケースのケース本体からケース蓋体を取り外した状態を示し、図２（ａ）は斜め下方から見た斜視図、図２（ｂ）は斜め上方から見た斜視図である。
【図３】同粘着式清掃具の内部構造を示す正面断面図である。
【図４】同じく同粘着式清掃具の内部構造を示し、図４（ａ）は図３のＡ−Ａ線に沿った断面図、図４（ｂ）は図３のＢ−Ｂ線に沿った断面図である。
【図５】同粘着式清掃具の外観構成であるケースの形状を示し、図５（ａ）は平面図、図５（ｂ）は正面図（背面図）、図５（ｃ）は右側面図（左側面図）である。
【図６】同粘着式清掃具における粘着テープロールの交換作業の、ケース本体のテープ支持部の支持軸に対する粘着テープロールの交換作業要領を説明するための斜視図である。
【図７】同じく同粘着式清掃具における粘着テープロールの交換作業の、支持軸と粘着テープロールの一体組立体の支持フレームに対する着脱作業要領を説明するための斜視図である。
【図８】同粘着式清掃具の使用時における典型的な持ち方を例示する斜視図である。
【図９】同粘着式清掃具の使用状態を示す斜視図である。
【図１０】本発明の実施形態２である粘着式清掃具の内部構造を示す正面断面図である。
【図１１】同粘着式清掃具における粘着テープロールの清掃操作時における揺動または回動範囲を示すための模式図である。
【図１２】本発明の実施形態４である粘着式清掃具をケース本体からケース蓋体を取り外した状態で示し、図１２（ａ）は斜め下方から見た斜視図、図１２（ｂ）は斜め上方から見た斜視図である。
【図１３】同粘着式清掃具の内部構造を示す正面断面図である。
【図１４】同じく同粘着式清掃具の内部構造を示す図１３のＡ−Ａ線に沿った断面図である。
【図１５】同じく同粘着式清掃具における粘着ロールの交換作業の、支持軸と粘着ロールの一体組立体の支持フレームに対する着脱作業要領を説明するための斜視図である。
【発明を実施するための形態】
【００４９】
以下、本発明の実施形態を図面に基づいて詳細に説明する。なお、図面全体にわたって同一の符号は同一の構成部材または要素を示している。
【００５０】
実施形態１
本発明に係る粘着式清掃具を図１〜図９に示し、この粘着式清掃具１は、具体的には、机上の消しゴム屑や衣服に付着した埃等の手近なゴミを取るためのものであり、図示の実施形態においては、図９に示すように、ノートやレポート用紙等の紙面Ｐ上の消しゴム屑ｄ、ｄ、…を接着除去するのに適した構造を備えている。
【００５１】
粘着式清掃具１は、片手による手持ち操作可能なケース２内に、粘着性ロールとしての粘着テープロールＲが回転可能にかつ取外し交換可能に装着されるとともに、上記ケース２の底部に、上記粘着テープロールＲの外周粘着面Ｔａの一部が外部に露出するゴミ捕捉開口５が形成されてなる。
【００５２】
ケース２は、片手に位置決め保持可能な外周輪郭形状寸法を有するプラスチック製の射出成形品であって、上部のケース本体３と下部のケース蓋体４とからなる上下２分割構造とされており、具体的には図１および図５に示すような外観形状を有する。
【００５３】
ケース本体３は清掃具本体を構成するもので、内部に粘着テープロールＲが取外し交換可能に装着されるとともに、その底面開口が上記捕捉開口５を形成している。
【００５４】
上記ケース本体３は、図示のような凸湾曲面状の外周面３ａを有し、この外周面３ａは、把持姿勢における手の平の把持湾曲面に対応したプロフィールを有する凸湾曲面状に形成された外周把持面を構成している。
【００５５】
ここにいう「把持姿勢」とは、使用者の片手を自然に脱力したときに、その手の平が若干内側へ湾曲した状態からさらに内側へ湾曲して物を把持する状態までの範囲の姿勢を意味する。
【００５６】
そして、ケース本体３の外周把持面３ａがこのような把持姿勢における手の平の把持湾曲面に対応した凸湾曲面とされていることにより、把持姿勢における湾曲した手の平に密着状に係合する結果、片手による手持ち操作に際して、上記ケース本体３つまりケース２を好適な位置決め状態で片手の手の平に確実に安定して保持することができる。
【００５７】
したがって、粘着式清掃具１の使用時においては、粘着式清掃具１を任意の持ち方でしかも確実に安定して持つことができ、典型的には、図８に示すような持ち方をすることができる。
【００５８】
すなわち、図８（ａ）に示す持ち方は、いわゆる「かぶせ持ち」という持ち方で、手の平全体でケース本体３の外周把持面３ａを密着状に保持する。
ありません。
【００５９】
図８（ｂ）に示す持ち方は、いわゆる「つかみ持ち」という持ち方で、指先と手の平の一部でケース本体３の外周把持面３ａを保持する。
【００６０】
図８（ｃ）に示す持ち方は、いわゆる「つまみ持ち」という持ち方で、手の平をほとんど触れることなく指先のみでケース本体３の外周把持面３ａを保持する。
【００６１】
粘着式清掃具１の実際の使用に際しては、使用者個人の癖もあって、上記３つの典型的な持ち方を適宜変形させた任意の形で持つことになるが、ケース本体３の外周把持面３ａが上記のような手の平の把持湾曲面に対応した凸湾曲面とされていることにより、いずれの持ち方でもケース２（ケース本体３）を好適な位置決め状態で確実に安定して保持することができる。
【００６２】
また、ケース本体３の内部には、粘着テープロールＲを回転可能にかつ取外し交換可能に支持するテープ支持部６が設けられている。
【００６３】
このテープ支持部６は、上記粘着テープロールＲの円筒ロール芯Ｒａを挿通支持する支持軸７と、この支持軸７を取外し可能にかつ回転可能に支持する支持フレーム８とを備えてなる。
【００６４】
上記支持軸７は、プラスチック製の射出成形品であって、図３、図４および図６に示すように、粘着テープロールＲの円筒ロール芯Ｒａの円筒内周面の一部を当接支持する複数の径方向に延びる支持プレート９、９、…を備えてなる軽量化構造とされており、図示の実施形態においては、中心軸体７ａから放射状に径方向外方へ延びる４枚の支持プレート９、９、…を備える。
【００６５】
上記支持軸７における円筒ロール芯Ｒａの挿入先端側端部には、この円筒ロール芯Ｒａの挿入先端側端部を当接係止する円板状の係止フランジ１０が一体形成されており、これにより、円筒ロール芯Ｒａつまり粘着テープロールＲの軸方向位置が規定される。
【００６６】
上記複数の支持プレート９、９、…の直線状の外端縁９ａ、９ａ、…に接する円筒輪郭の径寸法が上記円筒ロール芯Ｒａの円筒内周面の径寸法に対応して設定されるとともに、上記係止フランジ１０の外径が上記円筒ロール芯Ｒａの円筒内周面の径寸法よりも大きく設定されている。
【００６７】
また、これに関連して、支持プレート９、９、…の外端縁９ａ、９ａ、…のうち、上記係止フランジ１０に接続する接続端近傍位置９ｂ、９ｂ、…は、係止フランジ１０の方向へ向けて徐々に径方向外方へ傾斜して形成されている。
【００６８】
そして、粘着テープロールＲの支持軸７に対する取付けに際しては、図６（ａ）から（ｂ）に示すように、粘着テープロールＲの円筒ロール芯Ｒａを支持軸７の係止フランジ１０の反対側端から挿通させて（図示の実施形態においては、支持プレート９、９、…に円筒ロール芯Ｒａの挿通方向を示す矢印Ｘが立体成形されている。）、円筒ロール芯Ｒａの円筒内周面を支持プレート９、９、…の外端縁９ａ、９ａ、…に摺動案内させながら、円筒ロール芯Ｒａの挿入先端側端部を係止フランジ１０に当接係止するまで挿通させる。
【００６９】
この円筒ロール芯Ｒａの挿入先端側端部が係止フランジ１０に当接係止して軸方向に位置決めされた時、支持プレート９、９、…の外端縁９ａ、９ａ、…における上記接続端近傍位置９ｂ、９ｂ、…が係止フランジ１０の方向へ向けて径方向外方へ傾斜していることにより、同時に円筒ロール芯Ｒａの挿入先端側端部の円筒内周面がこの接続端近傍位置９ｂ、９ｂ、…により所定の径方向外方への圧力をもって固定される結果、粘着テープロールＲは支持軸７に一体的に位置決め固定される（図６（ｃ）参照）。
【００７０】
一方、例えば使用済みの粘着テープロールＲの支持軸７からの取外しは、上記とまったく逆の手順で行われる（図６の（ｃ）→（ｂ）→（ａ）参照）。
【００７１】
支持フレーム８は、上記ケース本体３に固定的に一体形成されており、具体的には、一対の支持ブラケット１５、１５を備えてなる。
【００７２】
これら一対の支持ブラケット１５、１５は、上記支持軸７を回転可能に支持するもので、ケース本体３の内周天井部に垂下状にかつ平行に一体形成されるとともに、上記支持軸７の両端部７ｂ、７ｃをそれぞれ回転可能に支持する支持穴１６、１６を有する。
【００７３】
これら一対の支持ブラケット１５、１５は、その支持穴１６、１６に対する上記支持軸７の着脱を可能とする弾性変形構造を備えるとともに、その内側面に案内溝１５ａ，１５ａがそれぞれ設けられている。
【００７４】
これら案内溝１５ａ，１５ａは、上記支持ブラケット１５、１５の上下方向へ直線状に延びて設けられており、その下端が支持ブラケットの下端に臨むとともに、その上端が上記支持穴１６内に臨んでいる。
【００７５】
これにより、支持軸７の支持ブラケット１５、１５に対する着脱作業時において、一対の支持ブラケット１５、１５は外側へ弾性変形しつつ、支持軸７の両端部７ｂ、７ｃが上記案内溝１５ａ、１５ａに案内されて上下方向へ移動し、上記支持穴１６、１６に対する挿脱動作が行われる。
【００７６】
このように、支持軸７の支持フレーム８（支持ブラケット１５、１５）に対する着脱作業方向が、ケース本体３のゴミ捕捉開口５に向かう上下方向とされることにより、粘着テープロールＲの大半がケース本体３内に収納される構成とすることができる。
【００７７】
すなわち、図示の実施形態において、粘着テープロールＲのケース本体３のテープ支持部６に対する取外し交換作業（着脱作業）は、上述したように図６（ａ）〜（ｃ）の手順で支持軸７に一体的に組み付けられた粘着テープロールＲの組立体（７＋Ｒ）の形態で行い、まず、図７（ａ）に示すように、ケース本体３のゴミ捕捉開口５の下方に位置させた状態から、上述した手順で支持軸７を支持ブラケット１５、１５に取り付けることにより、粘着テープロールＲをテープ支持部６に装着する（図７（ｂ）参照）。一方、例えば使用済みの粘着テープロールＲのテープ支持部６からの取外しは、上述した手順で支持軸７を支持ブラケット１５、１５から取り外すことにより行う。
【００７８】
図示の実施形態においては、上記テープ支持部６に、粘着テープロールＲが挿通支持された状態において、この粘着テープロールＲの外周粘着部Ｔａの一部が上記捕捉開口５を介してケース本体２の外部に臨んで位置するように設定され（図２、図３、図４および図７（ｂ）参照）、これにより、粘着テープロールＲの粘着面Ｔａは、使用時においても必要最小限の範囲のみがケース本体３の外部に露出することとなる。
【００７９】
なお、ここにいう「必要最小限の範囲」とは、清掃作業に必要な粘着面Ｔａの露出面積を確保できるとともに、使用済みで汚れた粘着テープＴの部分を切り離し除去するために必要な作業空間を確保できる範囲をいう。
【００８０】
上記粘着テープロールＲは、巻芯としての上記円筒ロール芯Ｒａに、粘着面Ｔａを有する粘着テープＴがその粘着面Ｔａを表側にして多重に巻回されてなる。
図示の実施形態においては、使用済みで汚れた粘着テープＴを切り離し除去するため、ほぼ１周長毎に切れ目が設けられている（図示省略）。
【００８１】
上記粘着テープＴは、基材テープの一方の面に離形処理層が形成されるとともに、他方の面に上記粘着面Ｔａを形成する粘着剤層が形成されてなる。
【００８２】
図示の実施形態においては、図９に示すように、ノートやレポート用紙等の紙面Ｐ上の消しゴム屑ｄ、ｄ、…を接着除去するのに適した構造ということで、上記粘着剤層は、その粘着面Ｔａが弱粘着性を呈する構成とされている。
【００８３】
ここに「弱粘着性」とは、「強粘着性」に対する相対的な特性であって、除去対象となる消しゴム屑ｄ、ｄ、…を接着できるとともに、これら消しゴム屑ｄ、ｄ、…が存在する紙面Ｐを損傷したり、粘着面Ｔａに接着して粘着テープロールＲに巻き付けてしまったりしない程度の粘着強度を有する特性をいい、図示の実施形態の粘着テープＴとしては、リンテックコマース株式会社製の粘着テープが好適に使用される。
【００８４】
ちなみに、「強粘着性」とは、従来公知の一般的な粘着式清掃具で使用されている粘着テープの粘着面が呈する特性をいい、通常の床やカーペット等の清掃用として適した粘着強度を有する特性をいう。
【００８５】
ケース蓋体４は、上記ケース本体３の捕捉開口５を開閉可能に施蓋するもので、図２〜図４に示すように、平坦な底部４ａを有する皿状容器の形態とされているプラスチック製の射出成形品である。
【００８６】
このケース蓋体４の開口周縁部４ｂは、上記ケース本体３の捕捉開口５の周縁部５ａに嵌脱可能に嵌合する断面形状を有する施蓋構造を備えており、これら両者４ａ、５ａの嵌脱作業は手指にてワンタッチで行える。
【００８７】
ケース蓋体４は、ケース本体３の施蓋時において、上記ケース本体３から露出する上記粘着テープロールＲの粘着面を非接触状態で被覆保護するとともに、任意の平坦な場所に載置されて、ケース本体３の置台として機能する。
【００８８】
しかして、以上のように構成された粘着式清掃具１の清掃使用にあたっては、ケース本体３を上方から任意の持ち方（典型的には図８に示すような３つの持ち方またはその変形）で保持した状態でケース蓋体４を取り外し（図２参照）、ケース本体３のゴミ捕捉開口５から露出した粘着テープロールＲを、図９に示すように、ゴミ等のある被清掃面上、図示例の場合は、消しゴム屑ｄ、ｄ、…等のあるノートやレポート用紙等の紙面Ｐ上で転がすことによって、紙面Ｐ上の消しゴム屑ｄ、ｄ、…等が上記粘着テープロールＲの粘着面Ｔａに接着捕捉されて取り除かれる。
【００８９】
消しゴム屑ｄ、ｄ、…等が接着捕捉されて使用済みとなった粘着面Ｔａを有する粘着テープＴの部分は、ケース本体３のゴミ捕捉開口５を介して粘着テープロールＲから切り離し除去され、これにより、未使用の粘着面Ｔａが新たにゴミ捕捉開口５からケース本体３の外部に露出して、新たな清掃使用に備えることとなる。
【００９０】
以上詳述したように、本実施形態の粘着式清掃具１によれば、片手による手持ち操作可能なケース２内に、粘着テープロールＲが回転可能にかつ取外し交換可能に装着されるとともに、上記ケース２の底部に、上記粘着テープロールＲの外周粘着面Ｔａの一部が外部に露出するゴミ捕捉開口５が形成されてなり、上記ケース２は、片手に位置決め保持可能な外周輪郭形状寸法を有するから、以下に列挙するような特有の効果が発揮される。
【００９１】
（ａ）粘着式清掃具１の構成部品が片手による手持ち操作可能なケース２（ケース本体３）内に収められることにより、非常に小型で簡素な軽量構造を実現でき、手持ち操作に際しても、粘着テープロールＲを直接手に持って操作する感覚での使用が可能で、例えば、椅子に腰かけた姿勢での机上の消しゴム屑の除去や、衣服に付着した埃等の除去など、手近の狭い場所の清掃に最適である。
【００９２】
（ｂ）上記ケース２が片手に位置決め保持可能な外周輪郭形状寸法を有するから、手持ち操作に際して、ケース２（ケース本体３）を片手に確実に位置決め保持することができ、清掃作業時の直接手に持っての操作感覚がより確実で、あたかも手を直接被清掃面に触れるような拭き掃除感覚での微妙な操作が可能である。
【００９３】
（ｃ）また、上記のとおり、粘着式清掃具１の構成部品が片手による手持ち操作可能なケース２内にすべて収められてしまっているから、小さいバックなどに入れたり、衣服のポケットに入れることも可能で、携帯に便利な構造である。
【００９４】
したがって、操作ミス等により、粘着テープロールＲの粘着面Ｔａが不用意に被清掃面以外のところ触れて、清掃力（粘着力）が低下することが有効に防止されるため、粘着テープＴの浪費も少ない。
【００９５】
（ｅ）上記ケース２は、上記粘着テープロールＲが装着されるとともに、底面開口が上記捕捉開口５を形成するケース本体３と、上記捕捉開口５を開閉可能に施蓋するケース蓋体４とからなるから、不使用時に粘着テープロールＲの粘着面Ｔａが完全にケース２内に被覆保護される。
【００９６】
したがって、バックや衣服のポケットなどに入れて携帯する場合でも、粘着テープロールＲの粘着面Ｔａが不用意に外部のものに触れることはなく、上記（ｄ）の使用時の効果と相まって、粘着テープロールＲの浪費が非常に少なく、経済的である。
【００９７】
実施形態２
本実施形態は図１０および図１１に示されており、テープ支持部６の支持フレーム８の具体的構造が改変されたものである。
【００９８】
すなわち、実施形態１におけるテープ支持部６の支持フレーム８はケース本体３に固定的に一体形成されているのに対して、本実施形態においては、支持フレーム８がケース本体３に揺動可能に支持されてなる。
【００９９】
本実施形態の支持フレーム８は、一対の支持ブラケット１５、１５が水平な連結バー２０により連結された一体構造とされ、この一体構造とされた支持フレーム８が、ケース本体３の内周天井部中央に水平方向へ揺動可能に軸支されている。
【０１００】
具体的には、上記支持フレーム８の連結バー２０の中央部に設けられた揺動軸２１が、上記ケース本体３の内周天井部中央に設けられた軸受部２５に揺動可能に軸支されている。
【０１０１】
上記揺動軸２１は、上記支持フレーム８に補強フランジ２２を介して一体形成されるとともに、円筒軸部２３の先端部にくさび状の弾性係止部２３ａ、２３ａ、…が形成されてなる。
【０１０２】
そして、この揺動軸２１が上記軸受部２５に下側から挿入されることにより、弾性係止部２３ａ，２３ａ、…が軸受部２５の円筒穴に弾性変形しながら挿通された後弾性復帰することで、揺動軸２１は軸受部２５に抜け止め係止されるとともに、その円筒軸部２３が軸受部２５に回転可能に軸支される。２６は、軸受部２５の成形時に形成された穴部を閉塞するキャップ部材を示している。
【０１０３】
これにより、支持フレーム８がケース本体３に水平方向へ揺動可能に軸支される結果、この支持フレーム８に支持される粘着テープロールＲは、図１１に示すように、軸心Ｘを中心として、ケース本体３内の許容される範囲内で水平方向へ揺動可能とされる。
【０１０４】
この許容される揺動範囲は、粘着テープロールＲの粘着面Ｔａがケース本体３の内周面に接触しない範囲に規定され、この目的のため、具体的には図示しないが、ケース本体３には粘着テープロールＲの揺動範囲を規定する規定手段が設けられる。この規定手段としては、例えば、支持フレーム８に当接係止して、その揺動範囲を規定する揺動ストッパの形態とされる。
【０１０５】
しかして、以上のように構成された粘着式清掃具１の清掃使用に際しては、使用者の手の動きに合わせて、粘着テープロールＲがケース本体３に対して揺動しながら、被清掃面上例えば図９に示す紙面Ｐ上を転がり、紙面Ｐ上の消しゴム屑ｄ、ｄ、…等が粘着テープロールＲの粘着面Ｔａに接着捕捉されて取り除かれる。
【０１０６】
この場合の手の動きは、図９に示すような紙面Ｐに対して上下縦方向の動きだけではなく、左右横方向の動き、さらには曲線を描くような動きも可能である。
その他の構成および作用は実施形態１と同様である。
【０１０７】
実施形態３
本実施形態は、粘着テープロールＲに係る構成を改変したものである。
【０１０８】
すなわち、実施形態１においては、粘着テープロールＲの粘着テープＴが弱粘着性を呈する粘着面Ｔａを有する構成とされて、図９に示すように、ノートやレポート用紙等の紙面Ｐ上の消しゴム屑ｄ、ｄ、…を接着除去するのに適した構造とされているが、粘着面Ｔａが異なる特性を呈する複数種類の粘着テープロールＲを備え、これら粘着テープロールＲ、Ｒをケース２に選択的に装着できる構成とされている。
【０１０９】
本実施形態においては、具体的には、実施形態１と同様の弱粘着性を呈する粘着面Ｔａを有する粘着テープロールＲに加えて、従来公知の一般的な粘着式清掃具で使用されている強粘着性を呈する粘着面Ｔａを有する粘着テープロールＲも備えている。
【０１１０】
しかして、以上のような構成とされた粘着式清掃具１にあっては、実施形態１と同様に、紙面Ｐ上の消しゴム屑ｄ、ｄ、…を接着除去する用途と、通常の床やカーペット等の清掃用としての用途と選択的に使い分けることができ、汎用性に富む。
その他の構成および作用は実施形態１と同様である。
【０１１１】
実施形態４
本実施形態は図１２〜図１５に示されており、粘着性ロールとして粘着ロールＲ０を備えたものである。
【０１１２】
すなわち、前述の実施形態１〜３においては、粘着性ロールとして、円筒ロール芯Ｒａに、粘着面Ｔａを有する粘着テープＴが多重に巻回されてなる粘着テープロールＲが使用されていたが、本実施形態においては、粘着力を有する構成材料からなる粘着ロールＲ０が使用されている。
【０１１３】
この粘着ロールＲ０は、被清掃面Ｐ上のゴミ等を接着捕捉する粘着力を有する構成材料からなる円筒体の形態とされており、その外周粘着面Ｒ０ａを洗浄することにより繰り返し使用が可能なものであり、ロール支持部１０６に回転可能にかつ取外し可能に支持される構造とされている。
【０１１４】
ロール支持部１０６は、ケース本体３の内部に設けられており、粘着ロールＲ０を支持する支持軸部１０７と、この支持軸部１０７を取外し可能にかつ回転可能に支持する支持フレーム８とを備えてなる。
【０１１５】
上記支持軸部１０７は、プラスチック製の射出成形品であって、図１２〜図１５に示すように、上記支持フレーム８に取外し可能にかつ回転可能に支持される支持軸１０８と、上記粘着ロールＲ０の円筒内周面を嵌合支持する支持円筒１０９と、これら支持軸１０８および支持円筒１０９を連結する複数（図示の場合は４枚）の径方向に延びる支持プレート１１０とを備えてなる軽量化構造とされている。
【０１１６】
この支持軸部１０７は、具体的には、上記粘着ロールＲ０と一体に固定された一体構造とされている。
【０１１７】
図示の実施形態においては、上記支持円筒１０９の外周面の径寸法が上記粘着ロールＲ０の円筒内周面の径寸法に対応して設定されるとともに、粘着ロールＲ０の円筒内周面が接着剤等の適宜固定手段により密着固定されている。
【０１１８】
このように粘着ロールＲ０と一体構造とされた支持軸部１０７は、支持フレーム８（支持ブラケット１５、１５）に対して、ケース本体３のゴミ捕捉開口５に向かう上下方向に移動させて着脱作業を行う。
【０１１９】
すなわち、図示の実施形態において、粘着ロールＲ０のケース本体３のロール支持部１０６に対する着脱作業は、支持軸部１０７と一体構造とされた粘着ロールＲ０の組立体（１０７＋Ｒ０）の形態で行う。
【０１２０】
まず、粘着ロールＲ０をロール支持部１０６の支持フレーム８に取り付けるには、図１５（ａ）に示すように、粘着ロールＲ０をケース本体３のゴミ捕捉開口５の下方に位置させた状態から、支持軸部１０７の支軸１０８の両端部１０８ａ、１０８ａを支持フレーム８の両支持ブラケット１５、１５の案内溝１５ａ、１５ａに下側から挿入させる。これにより、一対の支持ブラケット１５、１５が外側へ弾性変形しつつ、支軸１０８の両端部１０８ａ、１０８ａは上記案内溝１５ａ、１５ａに案内されて上方へ移動し、最終的に支持穴１６、１６に突入係止して、取付作業が完了する（図１５（ｂ））。
【０１２１】
一方、例えば使用により経時的に汚れた粘着ロールＲ０のロール支持部１０６からの取外しは、上記とまったく逆の手順で支持軸部１０７を支持ブラケット１５、１５から取り外すことにより行う。
【０１２２】
図示の実施形態においては、上記ロール支持部１０６に、粘着ロールＲ０が挿通支持された状態において、この粘着ロールＲ０の外周粘着面Ｒ０ａの一部が上記捕捉開口５を介してケース本体２の外部に臨んで位置するように設定され（図１２、図１３、図１４参照）、これにより、粘着ロールＲ０の粘着面Ｒ０ａは、使用時においても必要最小限の範囲のみがケース本体３の外部に露出することとなる。
【０１２３】
換言すれば、このように、支持軸部１０７の支持フレーム８（支持ブラケット１５、１５）に対する着脱作業方向が、ケース本体３のゴミ捕捉開口５に向かう上下方向とされることにより、粘着ロールＲ０の大半がケース本体３内に収納される構成とすることができる。
【０１２４】
上記粘着ロールＲ０は、その外周粘着面Ｒ０ａを洗浄することにより繰り返し使用が可能なものであり、したがって、その構成材料はこの目的に適したものが選択使用される。
【０１２５】
具体的には、上記構成材料としては、シリコンゴム、ブチルゴム、ウレタンゴム、クロロプレンゴム、塩化ビニル樹脂、およびその他被清掃面Ｐ上のゴミ等を接着捕捉する粘着力を有するものであればよく、目的に応じて適宜選択される。
【０１２６】
図示の実施形態の粘着ロールＲ０は、図９に示すように、ノートやレポート用紙等の紙面Ｐ上の消しゴム屑ｄ、ｄ、…を接着除去するのに適した構造ということで、円筒形状のシリコンゴム製で、その外周粘着面Ｒ０ａは弱粘着性を呈する構成とされている。また、シリコンゴムの持つ特性から、粘着ロールＲ０の外周粘着面Ｒ０ａは、被清掃面Ｐに当接された時に弾性変形して被清掃面Ｐに沿って密着する特性を有している。
【０１２７】
しかして、以上のように構成された粘着式清掃具１のケース本体３を上方から任意の持ち方（典型的には図８に示すような３つの持ち方またはその変形）で保持した状態で，ゴミ捕捉開口５から露出した粘着ロールＲ０を、図９に示すように、ゴミ等のある被清掃面Ｐ（消しゴム屑ｄ、ｄ、…等のあるノートやレポート用紙等の紙面）上で転がすことによって、紙面Ｐ上の消しゴム屑ｄ、ｄ、…等が上記粘着ロールＲ０の粘着面Ｒ０ａに接着捕捉されて取り除かれる。
【０１２８】
この場合、粘着ロールＲ０は、弾性を有するシリコンゴムで構成されていることから、上記誌面Ｐが曲面状に反っていたり、凹凸面となっていても、紙面Ｐの表面全面に均一に密着当接して、微細なゴム屑ｄ、ｄ、…も確実に接着除去することができる
【０１２９】
また、消しゴム屑ｄ、ｄ、…等が接着捕捉されて経時的に粘着力が低下した粘着面Ｒ０ａは、支持軸部１０７と一体構造の粘着ロールＲ０を、ケース本体３の支持フレーム８から前述した要領で取り外して、その粘着面Ｒ０ａ上の消しゴム屑ｄ、ｄ、…を取り除くとともに、水洗等により粘着面Ｒ０ａを洗浄することにより、所期の粘着力が回復して繰り返し使用が可能となる。
その他の構成および作用は実施形態１と同様である。
【０１３０】
なお、上述した実施形態１〜４はあくまでも本発明の好適な実施態様を示すものであって、本発明はこれらに限定されることなく、その範囲内で種々の設計変更が可能である。例えば以下のような改変が可能である。
【０１３１】
（１）図示の実施形態においては、ケース２（特にケース本体３）の外観形状は、中央部分が非常に緩やかな曲線で描かれたくびれ形状に設計されているが、これは意匠的効果をねらったものであって、本発明はこれに限定されるものではなく、本発明の特徴構成である「ケースは、片手に位置決め保持可能な外周輪郭形状寸法を有する」さらには「ケース本体は、把持姿勢における掌の把持湾曲面に対応したプロフィールを有する凸湾曲面状の外周把持面を有する」を有する範囲内において種々の改変が可能であり、例えば、図１、図２、図３および図５に二点鎖線１０２で示すようなくびれ形状のない外観形状も採用可能である。
【０１３２】
（２）実施形態２においては、テープ支持部６に支持される粘着テープロールＲが図１１に示される範囲内で揺動可能な構造とされているが、この粘着テープロールＲの幅方向寸法をより小さく設定することにより、揺動範囲をさらに広げたり、あるいは、粘着テープロールＲの粘着面Ｔａがケース本体３の内周面にまったく接触しない形状寸法まで小さくすることにより、粘着テープロールＲがケース本体３に対して水平方向へ３６０°回動可能に転動する構成としても良い。
【０１３３】
（３）実施形態３においては、弱粘着性を呈する粘着面Ｔａを有する粘着テープロールＲと、強粘着性を呈する粘着面Ｔａを有する粘着テープロールＲとの２種類の粘着テープロールＲ、Ｒを備えているが、これに限定されることなく、例えば、これら弱粘着性と強粘着性の強度の間の複数の強度を有する粘着性を呈する粘着面Ｔａを有する粘着テープロールＲ、Ｒ、…をさらに備える構成とすることも可能である。
【０１３４】
このような構成とすることにより、これら複数種類の粘着テープロールＲ、Ｒ、…の中から、任意の特性の粘着面を有する粘着テープロールＲを選択的に使用することができ、各種用途に最適な粘着式清掃具１を構成することができ、より汎用性に富む粘着式清掃具１を提供することができる。
【０１３５】
（４）粘着テープロールＲを構成する粘着テープＴの具体的構造、例えば、材質、使用済みの部分を切り離し除去するための切れ目等については、粘着式清掃具１の用途に応じて適宜変更可能である。
【０１３６】
（５）実施形態４においては、粘着性ロールとして粘着ロールＲ０を備えているが、これ以外の構成は実施形態１と同様であることから、上述した実施形態１における改変例は実施形態４にも適用可能であり、したがって、実施形態２あるいは実施形態３の構成も採用可能である。
【０１３７】
特に、粘着ロールＲ０は、粘着テープＴが多重に巻回されてなる粘着テープロールＲ比較してその回転方向に制限を受けないので、実施形態２のように、ロール支持部１０６に支持される粘着ロールＲ０が所定の範囲内（例えば図１１に示される範囲内）で揺動可能な構造とされる場合、あるいは水平方向へ３６０°回動可能な構造とされる場合、粘着式清掃具１の清掃使用に際して、使用者の手の動きに合わせて、粘着ロールＲ０の回転方向を気にすることなく粘着式清掃具１を自由に移動使用することができ、作業性にすぐれ、汎用性に富む。
【符号の説明】
【０１３８】
Ｐ                              紙面（被清掃面）
Ｒ                              粘着テープロール（粘着性ロール）
Ｒａ                            円筒ロール芯（巻芯）
Ｔ                              粘着テープ
Ｔａ                            外周粘着面（粘着面）
Ｒ０                            粘着ロール（粘着性ロール）
Ｒｏａ                          粘着ロールの粘着面
１                              粘着式清掃具
２                              ケース
３                              ケース本体
３ａ                            ケース本体（ケース）の外周把持面
４                              ケース蓋体
５                              ゴミ捕捉開口
６                              テープ支持部
７                              支持軸
８                              支持フレーム
９                              支持軸の支持プレート
１５                            支持フレームの支持ブラケット
１０２                          ケース
１０７                          支持軸部
１０８                          支持軸部の支持軸
１０９                          支持軸部の支持円筒
１１０                          支持軸部の支持プレート
【図１】
2017188178.tif 000003
【図２】
2017188178.tif 000004
【図３】
2017188178.tif 000005
【図４】
2017188178.tif 000006
【図５】
2017188178.tif 000007
【図６】
2017188178.tif 000008
【図７】
2017188178.tif 000009
【図８】
2017188178.tif 000010
【図９】
2017188178.tif 000011
【図１０】
2017188178.tif 000012
【図１１】
2017188178.tif 000013
【図１２】
2017188178.tif 000014
【図１３】
2017188178.tif 000015
【図１４】
2017188178.tif 000016
【図１５】
2017188178.tif 000017
【国際調査報告】
2017188178.tif 000018
2017188178.tif 000019
2017188178.tif 000020
2017188178.tif 000021